(57)【要約】【課題】薄型化が可能であり、製造コストが安く、しかも、内側にも外側にも変形しにくい表示装置の樹脂パネルを提供する。【解決手段】水平部の外側から高い垂直部が立上がり前記水平部の内側から低い垂直部が立上がるように形成される断面が略コ字形状を成す梁で、ロ字形に成形され、前記略コ字形状の内部に複数のリブが前記水平部、高い垂直部および低い垂直部に連なるように設けられた樹脂パネル１に、表示部２、３が嵌着され、さらに、前記樹脂パネル１のリブ１ｓに断面コ字形状の内側補強金具４の上下の折曲部４ａ、４ａが圧接されると共に、前記樹脂パネル１の外側に断面コ字形状の外側補強金具５の上下の折曲部５ａ、５ａが嵌着されている。【選択図】図１
2009168870.tif 000002
【特許請求の範囲】
【請求項１】
略コ字形状を成す梁で形成された樹脂パネルの前記略コ字形状部に、表示部が嵌着され、さらに、前記樹脂パネルの略コ字形状部に内側補強金具の上下の折曲部が圧接されると共に、前記樹脂パネルの外側に断面コ字形状の外側補強金具の上下の折曲部が嵌着されたことを特徴とする表示装置の樹脂パネル構造。
【請求項２】
前記内側補強金具と外側補強金具が固定されている樹脂パネル構造。
【発明の詳細な説明】
【技術分野】
【０００１】
この発明は表示装置の樹脂パネルに係わり、特に、その補強構造に関する。
【背景技術】
【０００２】
最近のカーナビゲーション装置等の車載用電子機器に用いられる液晶ディスプレイ等の表示装置の画面は大型化する傾向にある。ところで、車載用電子機器は一般にインストルメントパネルに開口する機器収納凹部に収容される。そして、その機器収納凹部のサイズは２ＤＩＮ規格となっているためにパネルを含む表示装置の寸法は限定される。
【０００３】
そこで、表示装置の画面を大きくするために、パネルの表示窓を大きくする必要があった。そして、パネル正面部分の面積を小さくしている。そのためにパネルの表示面と平行方向の長手方向の梁としての変位に対する剛性が小さくなり、合成樹脂製のパネルの長手方向の部分の補強が図られている。
【０００４】
そのような、従来の補強された表示装置の樹脂パネルの例を図２に示す。図２（ａ）は従来の表示装置の樹脂パネルを示す断面図、図２（ｂ）は図２（ａ）におけるＡ部拡大図である。
【０００５】
図２に示す樹脂パネル６は斜線で示す断面形状の梁で形成されたロ字形の枠であり、梁内面に複数のリブ６ａが一体に形成されている。タッチパネル２と液晶板３が重ね合わされた表示部はリブ６ａで端部が押えられるように樹脂パネル６に嵌着される。
【０００６】
内側補強金具４は上下端が折曲部４ａ、４ａとなるように折曲げられた板金であり、この折曲部４ａ、４ａが樹脂パネル６の上下のリブ６ａ、６ａと圧接するように樹脂パネル６に嵌め込まれる。
【０００７】
上記の樹脂パネルの補強構造では、樹脂パネル６は内側方向の変位が内側補強金具４で規制されるため、内側方向に潰れる変形は押えられるが、外側方向の変位を規制する部材がないため外側方向に膨らむ変形が生じやすい。そのため、使用者が樹脂パネル６の背面側をめくり上げてしまう恐れがある。
【０００８】
このように、樹脂パネル６が変形すると、タッチパネル２、液晶板３等の樹脂パネル６にねじで固定されていない部品が位置ずれを起こし、最悪の場合は、タッチパネル２の不動作エリアや液晶板３の非表示エリアが樹脂パネル６の表示窓の露出することがあった。
【０００９】
従来の補強された表示装置の樹脂パネルの他の例を図３に示す。図３（ａ）は従来の表示装置の樹脂パネルの他の例を示す断面図、図３（ｂ）は図３（ａ）におけるＡ部拡大図である。
【００１０】
図３に示す樹脂パネル１は斜線で示す断面形状の梁で形成されたロ字形の枠であり、梁内面に複数のリブ１ａが一体に形成されている。また、上下の梁の外側には段差部１ｂが形成され、段差部１ｂに複数の凸部１ｃ、１ｃが設けられている。タッチパネル２と液晶板３が重ね合わされた表示部はリブ１ａで端部が押えられるように樹脂パネル１に嵌着される。
【００１１】
外側補強金具５は上下端が折曲部５ａ、５ａとなるように折曲げられた板金であり、この折曲部５ａ、５ａが樹脂パネル１の上下の段差部１ｂに被さるように、樹脂パネル１が外側補強金具５に嵌め込まれる。このとき、外側補強金具５の折曲部５ａ、５ａは樹脂パネル１の凸部１ｃ、１ｃの傾斜面で押されて弾性変形した後、元に戻り、樹脂パネル１の凸部１ｃ、１ｃが外側補強金具５の角穴５ｂ、５ｂに嵌まり込んで外側補強金具５が樹脂パネル１に係止される。
【００１２】
上記の樹脂パネルの補強構造では、樹脂パネル１は外側方向の変位が外側補強金具５で規制されるため、外側方向に膨れる変形は押えられるが、内側方向の変位を規制する部材がないため内側方向に潰れる変形が生じやすい。そのため、使用者が樹脂パネル１の上下を掴むと樹脂パネル１が内側に撓み、タッチパネル２、液晶板３等の破損が生じる恐れがある。また、タッチパネル２、液晶板３等の樹脂パネル１にねじで固定されていない部品が位置ずれを起こし、最悪の場合は、タッチパネル２の不動作エリアや液晶板３の非表示エリアが樹脂パネル６の表示窓の露出することがあった。
【００１３】
特開２００７−１９９７０５号公報に開示された、プラズマデスプレイ装置では、表示装置を補強するシャーシ部材２０は、３枚のベース金属板３６ａ、３６ｂ、３６ｃを金属板３７、３８、水平方向の強度を補強する角筒形状のアングル３９、４０および垂直方向の強度を補強する角筒形状のアングル４１、４１…で結合し、かつ補強した構造となっている。
【００１４】
この表示装置の補強構造では、ベース金属板３６ａ、３６ｂ、３６ｃ、金属板３７、３８、角筒形状のアングル３９、４０および角筒形状のアングル４１、４１が４層に重なるために、製造コストが高くなると共に、シャーシ部材２０の厚さが厚くなり、薄型化が要求される車載用機器等の樹脂パネルの補強構造には適さないものであった。
【特許文献１】特開２００７−１９９７０５号公報。段落００３９〜段落００４３、図５
【発明の開示】
【発明が解決しようとする課題】
【００１５】
この発明は上記した点に鑑みてなされたものであって、その目的とするところは、薄型化が可能であり、製造コストが安く、しかも、内側にも外側にも変形しにくい表示装置の樹脂パネルを提供することにある。
【課題を解決するための手段】
【００１６】
この発明の表示装置の樹脂パネル構造は、略コ字形状を成す梁で形成された樹脂パネルの前記略コ字形状部に、表示部が嵌着され、さらに、前記樹脂パネルの略コ字形状部に内側補強金具の上下の折曲部が圧接されると共に、前記樹脂パネルの外側に断面コ字形状の外側補強金具の上下の折曲部が嵌着されたものである。
【００１７】
また、前記表示装置の樹脂パネル構造において、前記内側補強金具と外側補強金具が固定されているものである。
【発明の効果】
【００１８】
この発明の表示装置の樹脂パネルによれば、薄型化が可能であり、製造コストが安く、しかも、内側にも外側にも変形しにくい。
【発明を実施するための最良の形態】
【００１９】
以下この発明を実施するための最良の形態を実施例に即して説明する。図１（ａ）はこの発明の実施例である車載用ナビゲーション装置の表示装置の樹脂パネルを示す断面図、図１（ｂ）図１（ａ）におけるＡ部拡大図である。
【００２０】
図１に示す樹脂パネル１は斜線で示す断面形状の梁で形成されたロ字形の枠であり、梁内面に複数のリブ１ａが一体に形成されている。また、上下の梁の外側には段差部１ｂが形成され、段差部１ｂに複数の凸部１ｃ、１ｃが設けられている。タッチパネル２と液晶板３が重ね合わされた表示部はリブ１ａで端部が押えられるように樹脂パネル１に嵌着される。
【００２１】
内側補強金具４は上下端が折曲部４ａ、４ａとなるように折曲げられた板金であり、この折曲部４ａ、４ａが樹脂パネル１の上下のリブ１ａ、１ａと圧接するように樹脂パネル６に嵌め込まれる。
【００２２】
外側補強金具５は上下端が折曲部５ａ、５ａとなるように折曲げられた板金であり、この折曲部５ａ、５ａが樹脂パネル１の上下の段差部１ｂに被さるように、樹脂パネル１が外側補強金具５に嵌め込まれる。このとき、外側補強金具５の折曲部５ａ、５ａは樹脂パネル１の凸部１ｃ、１ｃの傾斜面で押されて弾性変形した後、元に戻り、樹脂パネル１の凸部１ｃ、１ｃが外側補強金具５の角穴５ｂ、５ｂに嵌まり込んで外側補強金具５が樹脂パネル１に係止される。
【００２３】
上記の樹脂パネルの補強構造では、樹脂パネル１の内側方向の変位が内側補強金具４で規制されるため、内側方向に潰れる変形は押えらる。そして、樹脂パネル１は外側方向の変位が外側補強金具５で規制されるため、外側方向に膨れる変形も押えられる。このように、樹脂パネル１は内側方向および外側方向の変形に対する剛性が高く、表示部の損傷が防止される。
【００２４】
さらに、樹脂パネルが反っている場合でも、樹脂パネルの内側および外側から矯正できて、寸法精度を高めることが可能であり、表示装置をスライドさせて収納する場合に擦れや引っ掛かり等の不具合を防止できる。
【００２５】
しかも、内側補強金具および外側補強金具は薄い板金であるために２枚重ねても表示装置全体の厚みが厚くなることはない。
【００２６】
実施例は車載用ナビゲーション装置の表示装置であるが、発明はこれに限られず、例えば、パソコンの液晶モニター等の額縁形状の樹脂部品をはじめ、家電、自動車部品など厚みの薄い樹脂部品を採用している製品であればどのようなものにも本発明を採用することが可能である。
【図面の簡単な説明】
【００２７】
【図１】図１（ａ）はこの発明の実施例である表示装置の樹脂パネルを示す断面図、図１（ｂ）図１（ａ）におけるＡ部拡大図である。
【図２】図２（ａ）は従来の表示装置の樹脂パネルを示す断面図、図２（ｂ）は図２（ａ）におけるＡ部拡大図である。
【図３】図３（ａ）は従来の表示装置の樹脂パネルを示す断面図、図３（ｂ）は図３（ａ）におけるＡ部拡大図である。
【符号の説明】
【００２８】
１  樹脂パネル、１ａ  リブ、１ｂ  段差部、１ｃ  凸部
２  タッチパネル
３  液晶板
４  内側補強金具、４ａ  折曲部
５  外側補強金具、５ａ  折曲部、５ｂ  角穴
６  樹脂パネル、６ａ  リブ
【図１】
2009168870.tif 000003
【図２】
2009168870.tif 000004
【図３】
2009168870.tif 000005